(57)【特許請求の範囲】
【請求項１】
吐水孔を有し、前記吐水孔から洗浄水を吐水して女性局部に着水させるノズルを備え、
前記ノズルは、第１の範囲に洗浄水を吐水する第１の吐水と、前記第１の範囲よりも狭い第２の範囲に洗浄水を吐水する第２の吐水と、を切換可能であり、
前記ノズルは、第１の基準位置に静止した状態で前記第１の吐水を実行する第１の静止吐水と、前後に往復移動しながら前記第１の吐水を実行する第１の移動吐水と、第２の基準位置に静止した状態で前記第２の吐水を実行する第２の静止吐水と、前後に往復移動しながら前記第２の吐水を実行する第２の移動吐水と、を実行可能であり、
前記第１の移動吐水において、前記ノズルの前記第１の基準位置から前方へ移動する距離は第１の距離であり、前記ノズルの前記第１の基準位置から後方へ移動する距離は第２の距離であり、
前記第２の移動吐水において、前記ノズルの前記第２の基準位置から前方へ移動する距離は第３の距離であり、前記ノズルの前記第２の基準位置から後方へ移動する距離は第４の距離であり、
前記第１の移動吐水において、前記第１の距離は、前記第２の距離よりも短く、
前記第１の距離は、前記第３の距離よりも短いことを特徴とする衛生洗浄装置。
【請求項２】
吐水孔を有し、前記吐水孔から洗浄水を吐水して女性局部に着水させるノズルを備え、
前記ノズルは、第１の範囲に洗浄水を吐水する第１の吐水と、前記第１の範囲よりも狭い第２の範囲に洗浄水を吐水する第２の吐水と、を切換可能であり、
前記ノズルは、第１の基準位置に静止した状態で前記第１の吐水を実行する第１の静止吐水と、前後に往復移動しながら前記第１の吐水を実行する第１の移動吐水と、第２の基準位置に静止した状態で前記第２の吐水を実行する第２の静止吐水と、前後に往復移動しながら前記第２の吐水を実行する第２の移動吐水と、を実行可能であり、
前記第１の移動吐水において、前記ノズルの前記第１の基準位置から前方へ移動する距離は第１の距離であり、前記ノズルの前記第１の基準位置から後方へ移動する距離は第２の距離であり、
前記第２の移動吐水において、前記ノズルの前記第２の基準位置から前方へ移動する距離は第３の距離であり、前記ノズルの前記第２の基準位置から後方へ移動する距離は第４の距離であり、
前記第１の移動吐水において、前記第１の距離は、前記第２の距離よりも短く、
前記第２の移動吐水において、前記第３の距離と、前記第４の距離とは、略同一であることを特徴とする衛生洗浄装置。
【請求項３】
前記第１の移動吐水における前記往復移動の距離は、前記第２の移動吐水における前記往復移動の距離よりも短いことを特徴とする請求項１または２に記載の衛生洗浄装置。
【請求項４】
吐水孔を有し、前記吐水孔から洗浄水を吐水して女性局部に着水させるノズルを備え、
前記ノズルは、第１の範囲に洗浄水を吐水する第１の吐水と、前記第１の範囲よりも狭い第２の範囲に洗浄水を吐水する第２の吐水と、を切換可能であり、
前記ノズルは、第１の基準位置に静止した状態で前記第１の吐水を実行する第１の静止吐水と、前後に往復移動しながら前記第１の吐水を実行する第１の移動吐水と、第２の基準位置に静止した状態で前記第２の吐水を実行する第２の静止吐水と、前後に往復移動しながら前記第２の吐水を実行する第２の移動吐水と、を実行可能であり、
前記第１の移動吐水において、前記ノズルの前記第１の基準位置から前方へ移動する距離は第１の距離であり、前記ノズルの前記第１の基準位置から後方へ移動する距離は第２の距離であり、
前記第２の移動吐水において、前記ノズルの前記第２の基準位置から前方へ移動する距離は第３の距離であり、前記ノズルの前記第２の基準位置から後方へ移動する距離は第４の距離であり、
前記第１の移動吐水において、前記第１の距離は、前記第２の距離よりも短く、
前記第１の移動吐水における前記往復移動の距離は、前記第２の移動吐水における前記往復移動の距離よりも短いことを特徴とする衛生洗浄装置。
【請求項５】
前記第２の距離は、前記第４の距離以下であることを特徴とする請求項１〜４のいずれか１つに記載の衛生洗浄装置。
【請求項６】
前記第１の基準位置は、前記第２の基準位置よりも後方であることを特徴とする請求項１〜５のいずれか１つに記載の衛生洗浄装置。
【請求項７】
前記第１の距離は、ゼロであることを特徴とする請求項１〜６のいずれか１つに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の女性局部を水で洗浄する衛生洗浄装置に関する。
【背景技術】
【０００２】
ビデ洗浄においては、洗浄面積が広いワイド洗浄と、洗浄面積が狭いスポット洗浄と、をボタン操作により変更することができる。従来、局部洗浄用ノズルからそのまま吐水して、女性局部すなわち膣口やその周囲の洗浄を行う吐水とは別に、局部洗浄用のノズルを移動させることなく洗浄範囲（着水時の洗浄面積）を拡大する技術として、螺旋状に旋回させた洗浄水をノズルの吐水孔から吐水できる人体洗浄装置が知られている（特許文献１）。また、同様な技術として、細分化された洗浄水を旋回状態で吐水することができる人体局部洗浄装置も知られている（特許文献２）。
【０００３】
一方、従来より、ノズルを移動させつつ吐水を実行するムーブ洗浄といった機構を備えた局部洗浄が知られている。特許文献１、２に開示される洗浄範囲が広い吐水においてムーブ洗浄を実行すると、かなり広い範囲で、局部を洗浄できるといった効果を得られる。しかしながら、広い吐水範囲でムーブ洗浄を行うと、吐水孔から吐水された洗浄水が、目的の局部に着水せず、股の間から抜けて周囲に飛び散ったり、使用者の太ももに吐水されおそれがある。このような点について、使用者に不快感を与えないようするには改善の余地がある。
【先行技術文献】
【特許文献】
【０００４】
【特許文献１】特開２００１−９０１５５号公報
【特許文献２】特開２００３−２４７２６０号公報
【発明の概要】
【発明が解決しようとする課題】
【０００５】
本発明は、かかる課題の認識に基づいてなされたものであり、洗浄水の飛び散りを抑制して快適なビデ洗浄を行うことができる衛生洗浄装置を提供することを目的とする。
【課題を解決するための手段】
【０００６】
第１の発明は、吐水孔を有し、前記吐水孔から洗浄水を吐水して女性局部に着水させるノズルを備え、前記ノズルは、第１の範囲に洗浄水を吐水する第１の吐水と、前記第１の範囲よりも狭い第２の範囲に洗浄水を吐水する第２の吐水と、を切換可能であり、前記ノズルは、第１の基準位置に静止した状態で前記第１の吐水を実行する第１の静止吐水と、前後に往復移動しながら前記第１の吐水を実行する第１の移動吐水と、第２の基準位置に静止した状態で前記第２の吐水を実行する第２の静止吐水と、前後に往復移動しながら前記第２の吐水を実行する第２の移動吐水と、を実行可能であり、前記第１の移動吐水において、前記ノズルの前記第１の基準位置から前方へ移動する距離は第１の距離であり、前記ノズルの前記第１の基準位置から後方へ移動する距離は第２の距離であり、前記第２の移動吐水において、前記ノズルの前記第２の基準位置から前方へ移動する距離は第３の距離であり、前記ノズルの前記第２の基準位置から後方へ移動する距離は第４の距離であり、前記第１の移動吐水において、前記第１の距離は、前記第２の距離よりも短く、前記第１の距離は、前記第３の距離よりも短いことを特徴とする衛生洗浄装置である。
【０００７】
この衛生洗浄装置によれば、第１の移動吐水において、前方への移動である第１の距離が、後方への移動である第２の距離よりも短いため、移動吐水で股の間から洗浄水が便座に飛び散ったり、使用者の太ももに洗浄水が吐水されたりすることを抑制することができる。これにより、使用者は快適にビデ洗浄を行うことができるようになる。  
また、第１の距離が第３の距離よりも短いため、広い範囲に着水できる第１の移動吐水であっても股の間から洗浄水が便座に飛び散ったり、使用者の太ももに洗浄水が吐水されたりすることを防止できる。これにより、使用者は快適にビデ洗浄を行うことができるようになる。
【０００８】
また、第２の発明は、吐水孔を有し、前記吐水孔から洗浄水を吐水して女性局部に着水させるノズルを備え、前記ノズルは、第１の範囲に洗浄水を吐水する第１の吐水と、前記第１の範囲よりも狭い第２の範囲に洗浄水を吐水する第２の吐水と、を切換可能であり、前記ノズルは、第１の基準位置に静止した状態で前記第１の吐水を実行する第１の静止吐水と、前後に往復移動しながら前記第１の吐水を実行する第１の移動吐水と、第２の基準位置に静止した状態で前記第２の吐水を実行する第２の静止吐水と、前後に往復移動しながら前記第２の吐水を実行する第２の移動吐水と、を実行可能であり、前記第１の移動吐水において、前記ノズルの前記第１の基準位置から前方へ移動する距離は第１の距離であり、前記ノズルの前記第１の基準位置から後方へ移動する距離は第２の距離であり、前記第２の移動吐水において、前記ノズルの前記第２の基準位置から前方へ移動する距離は第３の距離であり、前記ノズルの前記第２の基準位置から後方へ移動する距離は第４の距離であり、前記第１の移動吐水において、前記第１の距離は、前記第２の距離よりも短く、前記第２の移動吐水において、前記第３の距離と、前記第４の距離とは、略同一であることを特徴とする衛生洗浄装置である。
【０００９】
この衛生洗浄装置によれば、第１の移動吐水において、前方への移動である第１の距離が、後方への移動である第２の距離よりも短いため、移動吐水で股の間から洗浄水が便座に飛び散ったり、使用者の太ももに洗浄水が吐水されたりすることを抑制することができる。これにより、使用者は快適にビデ洗浄を行うことができるようになる。 
また、第２の移動吐水において、前後方向に略同距離で洗浄することができ、局部範囲を万遍なく洗浄することができるようになる。
【００１０】
また、第３の発明は、第１または２の発明において、前記第１の移動吐水での前記往復移動の距離が、前記第２の移動吐水での前記往復移動の距離よりも短いことを特徴とする衛生洗浄装置である。
【００１１】
この衛生洗浄装置によれば、第１の移動吐水の往復移動の距離が、第２の移動吐水の往復移動の距離よりも短いため、広い範囲に着水できる第１の移動吐水であっても股の間から洗浄水が便座に飛び散ったり、使用者の太ももに洗浄水が吐水されたりすることを防止できる。これにより、使用者は快適にビデ洗浄を行うことができるようになる。  
また、第４の発明は、吐水孔を有し、前記吐水孔から洗浄水を吐水して女性局部に着水させるノズルを備え、前記ノズルは、第１の範囲に洗浄水を吐水する第１の吐水と、前記第１の範囲よりも狭い第２の範囲に洗浄水を吐水する第２の吐水と、を切換可能であり、前記ノズルは、第１の基準位置に静止した状態で前記第１の吐水を実行する第１の静止吐水と、前後に往復移動しながら前記第１の吐水を実行する第１の移動吐水と、第２の基準位置に静止した状態で前記第２の吐水を実行する第２の静止吐水と、前後に往復移動しながら前記第２の吐水を実行する第２の移動吐水と、を実行可能であり、前記第１の移動吐水において、前記ノズルの前記第１の基準位置から前方へ移動する距離は第１の距離であり、前記ノズルの前記第１の基準位置から後方へ移動する距離は第２の距離であり、前記第２の移動吐水において、前記ノズルの前記第２の基準位置から前方へ移動する距離は第３の距離であり、前記ノズルの前記第２の基準位置から後方へ移動する距離は第４の距離であり、前記第１の移動吐水において、前記第１の距離は、前記第２の距離よりも短く、前記第１の移動吐水における前記往復移動の距離は、前記第２の移動吐水における前記往復移動の距離よりも短いことを特徴とする衛生洗浄装置である。  
この衛生洗浄装置によれば、第１の移動吐水において、前方への移動である第１の距離が、後方への移動である第２の距離よりも短いため、移動吐水で股の間から洗浄水が便座に飛び散ったり、使用者の太ももに洗浄水が吐水されたりすることを抑制することができる。これにより、使用者は快適にビデ洗浄を行うことができるようになる。  
また、第１の移動吐水の往復移動の距離が、第２の移動吐水の往復移動の距離よりも短いため、広い範囲に着水できる第１の移動吐水であっても股の間から洗浄水が便座に飛び散ったり、使用者の太ももに洗浄水が吐水されたりすることを防止できる。これにより、使用者は快適にビデ洗浄を行うことができるようになる。
【００１２】
また、第５の発明は、第１〜４のいずれか１つの発明において、前記第２の距離が、前記第４の距離以下であることを特徴とする衛生洗浄装置である。
【００１３】
この衛生洗浄装置によれば、第１の移動吐水の後方への移動距離が、第２の移動吐水の後方への移動距離と同等か、またはそれ以下になるので、第１のムーブ洗浄での、前側への飛び散りだけでなく、後側への飛び散りも低減させることができる。
【００１４】
また、第６の発明は、第１〜５のいずれか１つの発明において、前記第１の基準位置が、前記第２の基準位置よりも後方であることを特徴とする衛生洗浄装置である。
【００１５】
この衛生洗浄装置によれば、ノズルの静止状態での使用においても、第１の静止吐水が、第２の静止吐水よりも後方に位置するように設定されるので、第１の静止吐水時の飛び散りを防止できるようになる。また、第１の移動吐水でも、第２の移動吐水の移動範囲内での移動になって、第１の移動吐水での前側の飛び散り、さらには、後側への飛び散りを防止することができる。
【００１６】
また、第７の発明は、第１〜６のいずれか１つの発明において、前記第１の距離をゼロにしたことを特徴とする衛生洗浄装置である。
【００１７】
この衛生洗浄装置によれば、第１の移動吐水において、後方だけの移動になり、ノズルを移動しながら行う洗浄で、股の間から洗浄水が便座に飛び散ったり、使用者の太ももに洗浄水が吐水されたりすることを防止できる。これにより、使用者は快適にビデ洗浄を行うことができるようになる。
【発明の効果】
【００１８】
本発明の態様によれば、洗浄水の飛び散りを抑制して快適なビデ洗浄を行うことができる衛生洗浄装置が提供される。
【図面の簡単な説明】
【００１９】
【図１】本発明の実施の形態にかかる衛生洗浄装置を備えたトイレ装置を例示する斜視模式図である。
【図２】各種吐水による洗浄水の着水範囲を説明するための概念模式図である。
【図３】本実施形態にかかる衛生洗浄装置の要部構成を表すブロック図である。
【図４】ビデ洗浄におけるワイド吐水の状態を説明する模式図である。
【図５】第１の実施形態に係る衛生洗浄装置でのノズルの往復の移動範囲について説明する図である。
【図６】第２の実施形態に係る衛生洗浄装置でのノズルの往復の移動範囲について説明する図である。
【図７】第３の実施形態に係る衛生洗浄装置でのノズルの往復の移動範囲について説明する図である。
【発明を実施するための形態】
【００２０】
以下、本発明の実施の形態について図面を参照しつつ説明する。なお、各図面中、同様の構成要素には同一の符号を付して詳細な説明は適宜省略する。
図１は、本発明の実施の形態にかかる衛生洗浄装置を備えたトイレ装置を例示する斜視模式図である。
【００２１】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。便蓋３００は、閉じた状態において便座２００の上方を覆うことができる。
【００２２】
ここで、図１に表した具体例においては、衛生洗浄装置１００の便座２００の着座面の側を上方向（上方）、これと反対側を下方向（下方）、衛生洗浄装置１００の便座２００が軸支される側を後方向（後方）、これと反対側を前方向（前方）、上下方向及び前後方向と直交する方向のうち後方に向いて右側を右方向（右側方）、左側を左方向（左側方）、ということにする。換言すると、便座２００に座った使用者の背面（背中側）から前面（お腹側）に向かう方向を前方向（前方）とし、前面から背面に向かう方向を後方向（後方）とする。
【００２３】
ケーシング４００の内部には、便座２００に座った使用者の女性局部の洗浄（ビデ洗浄）を実現する局部洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えば図示しないリモートコントローラなどの操作部を操作すると、ノズル４１０を便器８００のボウル８０１内に進出させることができる。なお、図１に表した衛生洗浄装置１００では、ノズル４１０がボウル８０１内に進出した状態を表している。  
なお、図１ではノズル４１０がボウル８０１の後ろ側から前方に向けてボウル８０１内に進出する具体例を表したが、本発明はこれには限定されない。例えば、これとは異なり、ノズル４１０が、ボウル８０１の前側から後方に向けてボウル８０１内に進出するものも、本発明の範囲に包含される。
【００２４】
ノズル４１０の先端部には、ひとつあるいは複数の吐水孔４１１が設けられている。ノズル４１０は、その先端部に設けられた吐水孔４１１から水を噴射して、便座２００に座った使用者の女性局部を洗浄することができる。例えば、図１に表したノズル４１０では、ふたつの吐水孔４１１のうちの例えば前側の吐水孔４１１ａは、ビデ洗浄用の吐水孔であり、後側の吐水孔４１１ｂは、おしり洗浄用の吐水孔である。なお、本願明細書において「水」という場合には、冷水のみならず、加熱されたお湯も含むものとする。
【００２５】
図２は、各種吐水による洗浄水の着水範囲を説明するための概念模式図である。
本実施形態のノズル４１０は、女性局部に洗浄水５００を着水する第１の静止吐水（図２（ａ））、第２の静止吐水（図２（ｂ））、第１の移動吐水（図２（ｃ））及び第２の移動吐水（図２（ｄ））を切り替え可能に設けられている。吐水を行う際、ノズル４１０は水平面に対して斜め下の前方に進出する。
ここで、図２（ａ）及び（ｃ）に表したように、ノズル４１０から第１の範囲Ａ１に洗浄水５００を吐水する形態を、第１の吐水であるワイド吐水という。
また、図２（ｂ）及び（ｄ）に表したように、ノズル４１０から第２の範囲Ａ２に洗浄水５００を吐水する形態を、第２の吐水であるスポット吐水という。
【００２６】
図２（ａ）に表したように、第１の静止吐水とは、ノズル４１０が第１の基準位置Ｐ１に静止している状態で、ワイド吐水を行う実行することをいう。
第１の静止吐水では、使用者６００の女性局部を含む着水範囲Ｓ１に洗浄水５００が着水する。
【００２７】
図２（ｂ）に表したように、第２の静止吐水とは、ノズル４１０が第２の基準位置Ｐ２に静止している状態で、スポット吐水を実行することをいう。
第２の静止吐水では、使用者６００の女性局部を含む着水範囲Ｓ２に洗浄水５００が着水する。
【００２８】
図２（ｃ）に表したように、第１の移動吐水とは、ノズル４１０を前後に往復移動しながらワイド吐水を実行することをいう。
第１の移動吐水では、使用者６００の女性局部を含む着水範囲Ｓ１０に洗浄水５００が着水する。
【００２９】
図２（ｄ）に表したように、第２の移動吐水とは、ノズル４１０を前後に往復移動しながらスポット吐水を実行することをいう。
第２の移動吐水では、使用者６００の女性局部を含む着水範囲Ｓ２０に洗浄水５００が着水する。
【００３０】
以下の説明では、第１の静止吐水のことを「ワイド吐水」、第１の移動吐水のことを「ワイドムーブ吐水」、第２の静止吐水のことを「スポット吐水」、第２の移動吐水のことを「スポットムーブ吐水」ということにする。
【００３１】
ワイド吐水では、スポット吐水に比べて女性局部の広い範囲にわたり万遍なく着水する。すなわち、ビデ洗浄においてワイド吐水を行うと、女性局部を中心とした広い範囲に着水して洗浄を行うことができる。そのため、所望の広い範囲を一度にさっと洗浄することができる。一方、スポット吐水を行うと、ワイド吐水の場合よりも狭い範囲を洗浄することができ、洗浄したい箇所を好みに応じて重点的に洗浄することができる。
【００３２】
図３は、本実施形態にかかる衛生洗浄装置の要部構成を表すブロック図である。
なお、図３において、水路系と電気系の要部構成を併せて表している。
本実施形態にかかる衛生洗浄装置１００は、水道や貯水タンクなどの図示しない給水源から供給された水を導く流路１０を有する。流路１０の上流側には、電磁弁４４０が設けられている。電磁弁４４０は、開閉可能な電磁バルブであり、ケーシング４００の内部に設けられた制御部４０１からの指令に基づいて、熱交換器４５０への水の供給を制御する。
【００３３】
電磁弁４４０の下流側には、熱交換器４５０が設けられている。熱交換器４５０は、供給された水を加熱し所定の温水にする。なお、熱交換器４５０は、例えば、シーズヒータなどを用いた瞬間加熱式熱交換器でもよいし、貯湯タンクを用いた貯湯加熱式熱交換器でもよい。
【００３４】
熱交換器４５０の下流側には、圧力変調装置４７０が設けられている。この圧力変調装置４７０は、流路１０内の水の流れに脈動を与え、ノズル４１０の吐水孔４１１から吐水される水に脈動を与えることができる。なお、圧力変調装置４７０は、必ずしも設けられていなくともよい。
【００３５】
圧力変調装置４７０の下流側には、ノズル４１０が設けられている。ノズル４１０は、水勢（流量）の調整を行う流量調整弁４８０と、ワイド吐水の際に通水されるワイド吐水用流路４２７と、スポット吐水の際に通水されるスポット吐水用流路４２８と、ノズル本体４２０と、を有する。流量調整弁４８０は、水勢の調整を行うことができるとともに、ノズル４１０への給水の開閉や切替を行うことができる。
【００３６】
流量調整弁４８０は、制御部４０１からの指令に基づいて、ワイド吐水用流路４２７へ通水したり、スポット吐水用流路４２８へ通水することができる。あるいは、流量調整弁４８０は、所定の比率でワイド吐水用流路４２７およびスポット吐水用流路４２８へ通水することができる。これにより、使用者は、ワイド吐水用流路４２７を通過する洗浄水の流量と、スポット吐水用流路４２８を通過する洗浄水の流量と、の比率を適宜設定変更することにより、より広い範囲を一度にさっと洗浄するワイド吐水と、より狭い範囲を重点的に洗浄するスポット吐水と、を好みに応じて切り替えることができる。
【００３７】
ノズル４１０は、ノズルモータ（ノズル駆動部）４９０からの駆動力を受け、便器８００のボウル８０１内に進出したり後退することができる。そして、ノズル４１０は、ボウル８０１内に進出した状態で吐水孔４１１から水を噴射して、便座２００に座った使用者の女性局部を洗浄することができる。また、ノズル４１０は、ノズルモータ４９０によって往復移動をした状態で吐水を行うことができる。ワイドムーブ吐水及びスポットムーブ吐水では、所定の範囲で洗浄水を噴出した状態でノズルモータ４９０を駆動し、ノズル４１０を進退方向に沿って往復移動させる。
【００３８】
制御部４０１は、使用者からの指示に応じて、ノズル４１０によるワイド吐水、スポット吐水、ワイドムーブ吐水及びスポットムーブ吐水の切り替えを制御する。
すなわち、使用者によってワイド吐水が指示された場合、制御部４０１は、ワイド吐水用流路４２７を通過する洗浄水の流量を、スポット吐水用流路４２８を通過する洗浄水の流量に比べて多く設定する制御を行う。また、ワイド吐水の状態で使用者によってムーブが指示された場合、制御部４０１はワイド吐水を行いつつ、ノズルモータ４９０に駆動の指示を与え、ノズル４１０を往復移動させる制御を行う。
【００３９】
同様に、使用者によってスポット吐水が指示された場合、制御部４０１は、スポット吐水用流路４２７を通過する洗浄水の流量を、ワイド吐水用流路４２８を通過する洗浄水の流量に比べて多く設定する制御を行う。また、スポット吐水の状態で使用者によってムーブが指示された場合、制御部４０１はスポット吐水を行いつつ、ノズルモータ４９０に駆動の指示を与え、ノズル４１０を往復移動させる制御を行う。
【００４０】
図４は、ビデ洗浄におけるワイドムーブ吐水の状態を説明する模式図である。
図４では、ワイドムーブ吐水においてノズルが最も前方に移動しているときの吐水の状態を例示している。
図４（ａ）に表したように、ビデ洗浄でワイドムーブ吐水を行うと、洗浄水５００は第１の範囲Ａ１で吐水し、使用者６００の女性局部を中心とした広範囲に着水する。ノズル４１０が最も前方に移動している状態では、女性局部の前側までしっかりと洗浄することができる。
【００４１】
ここで、図４（ｂ）に表したように、使用者６００の便座２００への座り方や位置、使用者の体型によっては、ワイドムーブ吐水における洗浄水５００の吐水範囲（第１の範囲Ａ１）の一部が女性局部の前側よりもさらに前方にはみ出してしまうことがある。このはみ出した範囲に吐水される洗浄水５００ａは、使用者６００の股の間から便座に飛び散ったり、使用者６００の太ももなどに付着するおそれがある。
【００４２】
以下、図４（ｂ）に表したような洗浄水５００ａの飛び散りを抑制する実施形態について説明する。
【００４３】
図５〜図７は、本実施形態に係る衛生洗浄装置でのノズルの往復の移動範囲について説明する図である。
図５〜図７においては、図中矢印の方向がノズル４１０の進退方向（図２に示す軸Ｏ）に対応している。なお、説明の便宜上、ノズル４１０の進退方向を前後方向と表記している。また、図中矢印は、軸Ｏに沿ったノズル４１０の先端の位置を表している。つまり、図中矢印の前方の先端は、ノズル４１０が最も前方に移動した状態でのノズル４１０の先端の位置を示す。また、図中矢印の後方の先端は、ノズル４１０が最も後方に移動した状態でのノズル４１０の先端の位置を示す。また、図中黒色の丸印は、ノズル４１０の基準位置を表している。
【００４４】
（第１の実施形態）
図５では、第１の実施形態に係る衛生洗浄装置のノズルの往復移動での移動範囲について例示している。ここで、図５（ａ）は、スポットムーブ吐水でのノズルの移動範囲について例示している。スポットムーブ吐水でのノズルの往復の移動範囲は、第２の基準位置Ｐ２を中心として前後に略同距離になっている。すなわち、ノズルの往復移動において、第２の基準位置Ｐ２から前方へ移動する距離ｄ１０と、第２の基準位置Ｐ２から後方へ移動する距離ｄ２０と、が略同一になっている。
【００４５】
図５（ｂ）〜（ｄ）は、ワイドムーブ吐水でのノズルの移動範囲について例示している。ワイドムーブ吐水では、ノズルの往復移動において、第１の基準位置Ｐ１から前方へ移動する距離ｄ１１が、第１の基準位置Ｐ１から後方へ移動する距離ｄ２１、ｄ２２及びｄ２３よりも短くなっている。
【００４６】
図５（ｂ）に例示したノズルの移動範囲では、第１の基準位置Ｐ１から後方へ移動する距離ｄ２１が、図５（ａ）に例示したスポットムーブ吐水での距離ｄ２０よりも短くなっている。この例において、ノズルは、距離ｄ１１及びｄ２１の範囲で軸Ｏに沿って往復移動する。ノズルの往復移動の中心ｃ１は、第１の基準位置Ｐ１よりも後方になる。
【００４７】
図５（ｃ）に例示したノズルの移動範囲では、ノズルの往復移動において、第１の基準位置Ｐ１から後方へ移動する距離ｄ２２が、図５（ａ）に例示したスポットムーブ吐水での距離ｄ２０と同じになっている。この例において、ノズルは、距離ｄ１１及びｄ２２の範囲で軸Ｏに沿って往復移動する。ノズルの往復移動の中心ｃ２は、第１の基準位置Ｐ１よりも後方になる。
【００４８】
図５（ｄ）に例示したノズルの移動範囲では、ノズルの往復移動において、第１の基準位置Ｐ１から後方へ移動する距離ｄ２３が、図５（ａ）に例示したスポットムーブ吐水での距離ｄ２０よりも長くなっている。この例において、ノズルは、距離ｄ１１及びｄ２３の範囲で軸Ｏに沿って往復移動する。ノズル４１０の往復移動の中心ｃ３は、第１の基準位置Ｐ１よりも後方になる。
【００４９】
図５（ｂ）〜（ｄ）に例示したように、ワイドムーブ吐水において、第１の基準位置Ｐ１から前方へ移動する距離ｄ１１が、後方へ移動する距離ｄ２１、ｄ２２及びｄ２３よりも短くなっていることで、洗浄水の吐水範囲の一部が女性局部の位置よりも前方にはみ出してしまうことを抑制できる。これにより、ワイドムーブ吐水において、ノズルが前方に移動しても、使用者の股の間から洗浄水が便座に飛び散ったり、使用者の太ももに洗浄水が吐水されたりすることを抑制でき、快適なビデ洗浄を行うことが可能になる。
【００５０】
また、図５（ａ）に例示したように、スポットムーブ吐水において、前後方向に略同距離で洗浄することによって、局部範囲を万遍なく洗浄することができるようになる。ここで、ワイドムーブ吐水でのノズルの往復の移動範囲よりもスポットムーブ吐水でのノズルの往復の移動範囲を広くすれば、スポットムーブ吐水であっても女性局部周辺の広い範囲を十分に洗浄することが可能になる。
【００５１】
なお、第１の基準位置Ｐ１及び第２の基準位置Ｐ２を同じにして、ワイドムーブ吐水でのノズルの往復の移動範囲を、スポットムーブ吐水でのノズルの往復の移動範囲よりも狭くしてもよい。これにより、ワイドムーブ吐水でノズルが最も前方に移動した状態でのノズルの先端の位置ＦＰ１が、スポットムーブ吐水でノズルが最も前方に移動した状態でのノズルの先端の位置ＦＰ２よりも後方になる。したがって、ワイドムーブ吐水において、ノズルが前方に移動しても、使用者の股の間から洗浄水が便座に飛び散ったり、使用者の太ももに洗浄水が吐水されたりすることを抑制でき、快適なビデ洗浄を行うことが可能になる。
【００５２】
（第２の実施形態）
図６では、第２の実施形態に係る衛生洗浄装置のノズルの往復移動での移動範囲について例示している。ここで、図６（ａ）は、スポットムーブ吐水でのノズルの移動範囲について例示している。また、図６（ｂ）〜（ｄ）は、第２の実施形態に係る衛生洗浄装置のワイドムーブ吐水でのノズルの移動範囲について例示している。
【００５３】
図６（ｂ）〜（ｄ）に例示したように、第２の実施形態に係る衛生洗浄装置において、ワイドムーブ吐水でのノズルの移動範囲では、第１の基準位置Ｐ１よりも後方だけの移動になっている。つまり、ノズルの移動範囲において、第１の基準位置Ｐ１よりも前方へ移動する距離がゼロになっている。
【００５４】
図６（ｂ）に例示したワイドムーブ吐水では、第１の基準位置Ｐ１よりも後方へ移動する距離ｄ３１の範囲内でノズルを往復移動させている。距離ｄ３１は、距離ｄ２０よりも短い。
【００５５】
図６（ｃ）に例示したワイドムーブ吐水では、第１の基準位置Ｐ１よりも後方へ移動する距離ｄ３２の範囲内でノズルを往復移動させている。距離ｄ３２は、距離ｄ２０と同じである。
【００５６】
図６（ｄ）に例示したワイドムーブ吐水では、第１の基準位置Ｐ１よりも後方へ移動する距離ｄ３３の範囲内でノズルを往復移動させている。距離ｄ３３は、距離ｄ２０よりも長い。
【００５７】
図６（ｂ）〜（ｄ）に例示したいずれのワイドムーブ吐水であっても、ノズルの往復移動においてノズルは第１の基準位置Ｐ１よりも後方だけで往復移動することになる。したがって、洗浄水の吐水範囲の一部が女性局部の位置よりも前方にはみ出してしまうことを抑制できる。このため、ワイドムーブ吐水での洗浄において、ノズルが前方に移動しても、使用者の股の間から洗浄水が便座に飛び散ったり、使用者の太ももに洗浄水が吐水されたりすることを防止できる。これにより、使用者に不快感を与えることなくビデ洗浄を利用してもらうことが可能になる。
【００５８】
（第３の実施形態）
図７では、第３の実施形態に係る衛生洗浄装置のノズルの往復移動での移動範囲について例示している。ここで、図７（ａ）は、スポットムーブ吐水でのノズルの移動範囲について例示している。また、図７（ｂ）〜（ｅ）は、第３の実施形態に係る衛生洗浄装置のワイドムーブ吐水でのノズルの移動範囲について例示している。
【００５９】
図７（ｂ）〜（ｅ）に例示したように、第３の実施形態に係る衛生洗浄装置では、第１の基準位置Ｐ１’を第２の基準位置Ｐ２よりも後方に設けている。このように、第１の基準位置Ｐ１’を第２の基準位置Ｐ２よりも後方に設けることで、ノズルを静止して行うスポット吐水及びワイド吐水において、スポット吐水よりもワイド吐水を後方で行うことができ、ワイド吐水の際の洗浄水の飛び散りを防止できることになる。
【００６０】
また、図７（ｂ）に例示したワイドムーブ吐水では、第１の基準位置Ｐ１’を第２の基準位置Ｐ２よりも後方に設け、第１の基準位置Ｐ１’から前方へ移動する距離ｄ１２を、第１の基準位置Ｐ１’から後方へ移動する距離ｄ２４よりも短くしている。ノズルは、第１の基準位置Ｐ１’よりも前方へ移動する距離ｄ１２及び第１の基準位置Ｐ１’よりも後方へ移動する距離ｄ２４の範囲内で往復移動する。
【００６１】
また、図７（ｃ）に例示したワイドムーブ吐水では、第１の基準位置Ｐ１’を第２の基準位置Ｐ２よりも後方に設け、第１の基準位置Ｐ１’よりも後方だけでの移動になっている。すなわち、ノズルは、第１の基準位置Ｐ１’よりも後方へ移動する距離ｄ３４の範囲内で往復移動する。
【００６２】
このように、第１の基準位置Ｐ１’を第２の基準位置Ｐ２よりも後方に設け、図７（ｂ）及び（ｃ）に例示した範囲でノズルを往復移動させることにより、洗浄水の吐水範囲の一部が女性局部の位置よりも前方にはみ出してしまうことを抑制できる。
【００６３】
また、図７（ｄ）に例示したワイドムーブ吐水では、図７（ｂ）に例示したワイドムーブ吐水でのノズルの移動に加え、第１の基準位置Ｐ１’から後方の移動の最端（ノズルが最も後方に移動した際のノズルの先端の位置）を、スポットムーブ吐水での後方の移動の最端と合わせている。ノズルは、第１の基準位置Ｐ１’よりも前方へ移動する距離ｄ１２及び第１の基準位置Ｐ１’よりも後方へ移動する距離ｄ２５の範囲内で往復移動する。
【００６４】
また、図７（ｅ）に例示したワイドムーブ吐水では、図７（ｃ）に例示したワイドムーブ吐水でのノズルの移動に加え、第１の基準位置Ｐ１’から後方の移動の最端（ノズルが最も後方に移動した際のノズルの先端の位置）を、スポットムーブ吐水での後方の移動の最端ＥＰと合わせている。すなわち、ノズルは、第１の基準位置Ｐ１’よりも後方へ移動する距離ｄ３５の範囲内で往復移動する。
【００６５】
このように、図７（ｄ）及び（ｅ）に例示したノズルの移動によれば、ワイドムーブ吐水でのノズルの往復移動の範囲が、スポットムーブ吐水でのノズルの往復移動の範囲内に含まれることになる。よって、ワイドムーブ吐水での洗浄において、ノズルが前方に移動しても、洗浄水の前方への飛び散りを抑制できるとともに、後方への飛び散りも抑制するできるようになる。
【００６６】
以上説明したように、本実施形態によれば、ワイドムーブ吐水において、洗浄水の吐水範囲の一部が女性局部の位置よりも前方にはみ出してしまうことを抑制することができる。これにより、ワイドムーブ吐水において、使用者の股の間から洗浄水が便座に飛び散ったり、使用者の太ももに洗浄水が付着したりすることを抑制できる。このため、使用者は快適にビデ洗浄を行うことができるようになる。
【００６７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
また、上記実施形態では、衛生洗浄装置１００に便蓋３００が設けられた例を説明したが、便蓋３００が設けられていないものであっても適用可能である。
また、前述した各実施の形態が備える各要素は、技術的に可能な限りにおいて組み合わせることができ、これらを組み合わせたものも本発明の特徴を含む限り本発明の範囲に包含される。
【符号の説明】
【００６８】
１０…流路、１００…衛生洗浄装置、２００…便座、３００…便蓋、４００…ケーシング、４０１…制御部、４０４…着座検知センサ、４１０…ノズル、４１１…吐水孔、４４０…電磁弁、４５０…熱交換器、４７０…圧力変調装置、４８０…流量調整弁、４９０…ノズルモータ、５００…洗浄水、６００…使用者、８００…便器、８０１…ボウル、Ａ１…第１の範囲、Ａ２…第２の範囲、Ｐ１…第１の基準位置、Ｐ２…第２の基準位置、Ｓ１…第１の着水範囲、Ｓ２…第２の着水範囲
【図１】
0005669007.tif 000002
【図２】
0005669007.tif 000003
【図３】
0005669007.tif 000004
【図４】
0005669007.tif 000005
【図５】
0005669007.tif 000006
【図６】
0005669007.tif 000007
【図７】
0005669007.tif 000008